(57)【要約】【課題】虹彩を撮影する際の被撮影者の位置の調整を容易に行え、虹彩を撮影するのに適した眼の位置合せを簡単に行うことができる虹彩認証装置を提供する。【解決手段】本発明に係る虹彩認証装置１０００は、被撮影者９００の眼９１０を映す誘導鏡部１０と、誘導鏡部１０に眼９１０が映った状態で眼９１０の虹彩を撮影する撮影部３０と、撮影部３０からの距離が虹彩を撮影するのに適している撮影適正範囲Ａ２に被撮影者９００を誘導するために設けられ、撮影適正範囲Ａ２に可視光を照射する誘導光源５０とを備えている。【選択図】図１
2008310480.tif 000002
【特許請求の範囲】
【請求項１】
被撮影者の眼を映す鏡部と、
前記鏡部に前記眼が映った状態で前記眼の虹彩を撮影する撮影部と、
前記撮影部からの距離が前記虹彩を撮影するのに適している撮影適正範囲に、前記被撮影者を誘導するために設けられ、前記撮影適正範囲に可視光を照射する誘導光源とを備えたことを特徴とする虹彩撮影装置。
【請求項２】
前記誘導光源とは別に設けられた補助誘導光源を備え、
前記補助誘導光源は、前記誘導光源の前記可視光と異なる色の可視光である補助可視光を、前記撮影適正範囲の少なくとも一方の側に設定された補助誘導範囲に照射することを特徴とする請求項１に記載の虹彩撮影装置。
【請求項３】
赤外光を照射する撮影光源を備え、
前記撮影光源は、前記誘導光源と共に設けられ、前記撮影適正範囲に前記赤外光を照射することを特徴とする請求項１または２に記載の虹彩撮影装置。
【請求項４】
前記鏡部の向きを調整するためのハンドル操作部を備えたことを特徴とする請求項１ないし３のいずれかに記載の虹彩撮影装置。
【請求項５】
被撮影者の眼を映す鏡部と、
前記鏡部に前記眼が映った状態で前記眼の虹彩を撮影する撮影部と、
前記撮影部からの距離が前記虹彩を撮影するのに適している撮影適正範囲に、前記被撮影者を誘導するために設けられ、前記撮影適正範囲に可視光を照射する誘導光源と、
前記撮影部で撮影された画像により個人認証を行う認証処理部とを備えたことを特徴とする虹彩認証装置。
【請求項６】
前記誘導光源とは別に設けられた補助誘導光源を備え、
前記補助誘導光源は、前記誘導光源の前記可視光と異なる色の可視光である補助可視光を、前記撮影適正範囲の少なくとも一方の側に設定された補助誘導範囲に照射することを特徴とする請求項５に記載の虹彩認証装置。
【請求項７】
赤外光を照射する撮影光源を備え、
前記撮影光源は、前記誘導光源と共に設けられ、前記撮影適正範囲に前記赤外光を照射することを特徴とする請求項５または６に記載の虹彩認証装置。
【請求項８】
前記鏡部の向きを調整するためのハンドル操作部を備えたことを特徴とする請求項５ないし７のいずれかに記載の虹彩認証装置。
【発明の詳細な説明】
【技術分野】
【０００１】
本発明は、眼球の虹彩を撮影するための虹彩撮影装置および虹彩認証装置に関する。
【背景技術】
【０００２】
近年、企業の入退室管理や、個人情報等の重要情報が記憶された情報記憶装置の管理や、銀行ＡＴＭ装置等の認証管理等で高いセキュリティが要求される施設では、本人確認を行うために、生体認証（バイオメトリクス認証とも呼ばれる）が用いられている。生体認証では、例えば人体の指紋、虹彩、眼底血管、顔、手や腕の血管パターンといった被認証者固有の情報が鍵として用いられている。
【０００３】
中でも、虹彩を用いた認証は、非接触式であるため、衛生的で心理的抵抗が少なく、顔や声のように年をとっても変化することなく、指紋のような偽造も難しいという長所を有している。虹彩を用いた認証では、眼球の黒目に表れる皺のパターンを識別して個人認証を行う。
【０００４】
虹彩を用いた認証は、例えば次のように行われる。被認証者の眼に赤外光を照射して、被認証者の眼をカメラで撮影する。次に、撮影画像から虹彩領域を抽出し、虹彩部分の皺のパターンをコード化して照合用データを生成し、この照合用データを予め登録された登録認証用データと比較して照合する。照合の結果、照合用データと登録認証用データとが互いに一致すると判断された場合、被認証者が予め登録された者であると認証する。
【０００５】
ここで、虹彩認証を行うには、認証に必要な虹彩がカメラの撮影画像の適切な位置に適切な大きさで含まれていなければならない。このため、従来の虹彩認証装置では、眼球を映すための鏡部（誘導ミラー）が撮影部（撮像ユニット）の前面に設けられていた。鏡部の中央部には光透過領域が設けられており、被撮影者（被認証者）は、鏡部に映る眼の反射像が鏡部の中央部に配置されるように調整した後、撮影部を用いて被撮影者自身の虹彩を撮影していた（例えば、特許文献１）。
【特許文献１】特開２００３−１４１５１７号公報
【発明の開示】
【発明が解決しようとする課題】
【０００６】
しかしながら、特許文献１に記載の技術では、被撮影者（被認証者）が鏡部を用いた眼の位置合せに慣れていない場合、被撮影者から撮影部までの距離が虹彩を撮影するのに適切になるように、被撮影者の位置を調整するのが容易でないという問題があった。虹彩認証装置が室内等の暗い場所に設置されている場合、被撮影者は、鏡部に映った被撮影者自身の眼を視認するのが困難であり、また、鏡部の位置を視認することも難しい場合が多く、被撮影者の位置を調整するのが特に難しい。
【０００７】
本発明は、上記従来の問題を解決するためになされたもので、虹彩を撮影する際の被撮影者の位置の調整を容易に行え、虹彩を撮影するのに適した眼の位置合せを簡単に行うことができる虹彩撮影装置を提供することを目的とする。
【課題を解決するための手段】
【０００８】
本発明の虹彩撮影装置は、被撮影者の眼を映す鏡部と、前記鏡部に前記眼が映った状態で前記眼の虹彩を撮影する撮影部と、前記撮影部からの距離が前記虹彩を撮影するのに適している撮影適正範囲に、前記被撮影者を誘導するために設けられ、前記撮影適正範囲に可視光を照射する誘導光源とを備えた構成を有している。
【０００９】
この構成により、撮影部からの距離が虹彩を撮影するのに適している撮影適正範囲に可視光が照射される。このため、虹彩を撮影する際に、被撮影者が誘導光源からの可視光の照射範囲により撮影適正範囲を簡単に把握することができ、被撮影者は可視光の照射範囲を手がかりに撮影適正範囲に移動できる。こうして、被撮影者から撮影部までの距離が虹彩を撮影するのに適した範囲内となるように、虹彩を撮影する際の被撮影者の位置の調整を容易に行うことができ、虹彩を撮影するのに適した眼の位置合せを簡単に行うことができる。
【００１０】
また、本発明の虹彩撮影装置は、前記誘導光源とは別に設けられた補助誘導光源を備え、前記補助誘導光源は、前記誘導光源の前記可視光と異なる色の可視光である補助可視光を、前記撮影適正範囲の少なくとも一方の側に設定された補助誘導範囲に照射する構成を有している。
【００１１】
この構成により、誘導光源の可視光と異なる色の可視光である補助可視光が補助誘導範囲に照射される。このため、虹彩を撮影する際に、被撮影者が補助誘導光源からの補助可視光の照射により撮影適正範囲が近くであることを把握でき、被撮影者は補助可視光の照射範囲を手がかりに撮影適正範囲に移動できる。この結果、被撮影者は自身の眼を撮影適正範囲内に簡単に配置でき、虹彩を撮影するのに適した眼の位置合せを簡単に行うことができる。
【００１２】
また、本発明の虹彩撮影装置は、赤外光を照射する撮影光源を備え、前記撮影光源は、前記誘導光源と共に設けられ、前記撮影適正範囲に前記赤外光を照射する構成を有している。この構成により、撮影光源が誘導光源と共に設けられるので、虹彩撮影装置の構成を簡単することができる。
【００１３】
また、本発明の虹彩撮影装置は、前記鏡部の向きを調整するためのハンドル操作部を備えた構成を有している。これにより、被撮影者はハンドル操作部を用いて、鏡部の向きを調整しながら、眼の位置合せを更に容易に行うことができる。
【００１４】
本発明の虹彩認証装置は、被撮影者の眼を映す鏡部と、前記鏡部に前記眼が映った状態で前記眼の虹彩を撮影する撮影部と、前記撮影部からの距離が前記虹彩を撮影するのに適している撮影適正範囲に、前記被撮影者を誘導するために設けられ、前記撮影適正範囲に可視光を照射する誘導光源と、前記撮影部で撮影された画像により個人認証を行う認証処理部とを備えた構成を有している。この構成は、上述の虹彩撮影装置に認証処理部を追加して構成されており、この構成によっても、上述した本発明の虹彩撮影装置と同様の利点が得られる。
【００１５】
また、本発明の虹彩認証装置は、前記誘導光源とは別に設けられた補助誘導光源を備え、前記補助誘導光源は、前記誘導光源の前記可視光と異なる色の可視光である補助可視光を、前記撮影適正範囲の少なくとも一方の側に設定された補助誘導範囲に照射する構成を有している。この構成によっても、上述した本発明の虹彩撮影装置と同様の利点が得られる。
【００１６】
また、本発明の虹彩認証装置は、赤外光を照射する撮影光源を備え、前記撮影光源は、前記誘導光源と共に設けられ、前記撮影適正範囲に前記赤外光を照射する構成を有している。この構成によっても、上述した本発明の虹彩撮影装置と同様の利点が得られる。
【００１７】
また、本発明の虹彩認証装置は、前記鏡部の向きを調整するためのハンドル操作部を備えた構成を有している。この構成によっても、上述した本発明の虹彩撮影装置と同様の利点が得られる。
【発明の効果】
【００１８】
本発明は、撮影部からの距離が虹彩を撮影するのに適している撮影適正範囲に可視光を照射することにより、虹彩を撮影する際の被撮影者の位置の調整を容易に行え、虹彩を撮影するのに適した眼の位置合せを簡単に行うことができるという効果を有する虹彩撮影装置および虹彩認証装置を提供することができるものである。
【発明を実施するための最良の形態】
【００１９】
（第１の実施の形態）
以下、本発明の第１の実施の形態に係る虹彩認証装置について、図面を用いて説明する。
本発明の第１の実施の形態に係る虹彩認証装置の構成を図１に示す。図１に示されるように、本発明の第１の実施の形態に係る虹彩認証装置１０００は、筺体１と、誘導鏡部１０と、ハンドル操作部２０と、撮影部３０と、撮影光源４０と、誘導光源５０と、誘導光源調整部６０と、距離測定部７０と、距離判定部８０と、制御部９０と、認証処理部１００とを備えている。
【００２０】
筺体１は金属等により形成されており、筺体１の外面には誘導鏡部１０、ハンドル操作部２０、撮影光源４０、誘導光源５０および誘導光源調整部６０が取り付けられ、これらを除いた各部３０、７０〜１００が筺体１の内側に収容されている。誘導鏡部１０は、筺体１の前面（紙面左側）に取り付けられている。誘導鏡部１０は、被撮影者９００の眼９１０を映すためのものであって、被撮影者９００が撮影部３０を用いて被撮影者９００自身の虹彩を撮影する際に、被撮影者９００が自身の眼９１０の位置をその反射像によって確認するために設けられている。
【００２１】
ハンドル操作部２０は、誘導鏡部１０および撮影部３０に一体に取り付けられ、誘導鏡部１０の両側面（図１の紙面に対して略垂直方向）から棒状に延出するように設けられている。ハンドル操作部２０は、誘導鏡部１０および撮影部３０の向きを調整するために設けられている。被撮影者９００は、ハンドル操作部２０を用いて、誘導鏡部１０および撮影部３０の向きを調整することができる。撮影部３０は、レンズや撮像素子などから構成されており、誘導鏡部１０の背面側に固定されている。撮影部３０は床面２０００から高さＴの位置に設けられており、高さＴは標準的な被撮影者９００の眼９１０の高さを基準に設定されている。
【００２２】
誘導鏡部１０の中央部には、光透過領域（不図示）が設けられている。撮影部２０は、この光透過領域を透過する光が撮像部３０のレンズを介して撮像素子に入射するように構成されている。撮影部２０は、後述の撮影光源４０の赤外光が照らされた被撮影者９００の眼９１０の虹彩を撮影する。被撮影者９００が、誘導鏡部１０に映る自身の眼９１０の反射像を確認しながら、自身の眼９１０が上記光透過領域に重なるように、ハンドル操作部２０を用いて誘導鏡部１０の向きを調整すると、被撮影者９００の眼９１０の像が撮像素子の受光面に結像される。従って、誘導鏡部１０に被撮影者９００の眼９１０が映った状態で、撮像部３０が被撮影者９００の眼９１０の虹彩を撮影することにより、被撮影者９００の眼９１０の像が撮像素子に取り込まれる。
【００２３】
ここで、図１に示されるように、撮影部３０から被撮影者９００までの距離を３つの範囲に分けて説明する。次に説明する撮影不適正範囲（近い）Ａ１、撮影適正範囲Ａ２および撮影不適正範囲（遠い）Ａ３は、撮影部３０から被撮影者９００までの距離を基準にしている。
【００２４】
撮影不適正範囲（近い）Ａ１は、被撮影者９００の眼９１０が撮影部３０に近すぎて、撮影部３０が被撮影者９００の眼９１０中の虹彩を明瞭な画像で撮影できない範囲である（例えば、撮影部３０からの距離が２０ｃｍ未満）。撮影適正範囲Ａ２は、撮影部３０からの距離が被撮影者９００の眼９１０の虹彩を撮影するのに適している範囲であって、撮影部３０が被撮影者９００の眼９１０中の虹彩を明瞭な画像で撮影できる範囲である（例えば、撮影部３０からの距離が２０ｃｍ以上４０ｃｍ未満）。撮影不適正範囲（遠い）Ａ３は、被撮影者９００の眼９１０が撮影部３０に遠すぎて、撮影部３０が被撮影者９００の眼９１０中の虹彩を明瞭な画像で撮影できない範囲である（例えば、撮影部３０からの距離が４０ｃｍ以上）。
【００２５】
撮影光源４０は、単数または複数の近赤外光発光素子から構成され、撮影部３０の近傍に設けられている。撮影光源４０は、上記撮像適正範囲Ａ２に位置する被撮影者９００の眼９１０とその周辺の方向に向けて、赤外光（波長：４００ｎｍ〜８００ｎｍ）を照射する。
【００２６】
誘導光源５０は、被撮影者９００を上記撮影適正範囲Ａ２に誘導するために設けられ、上記撮影適正範囲Ａ２に可視光を照射する。被撮影者９００は、誘導光源５０からの可視光の照射範囲により、撮影適正範囲Ａ２を簡単に把握することができる。
【００２７】
誘導光源５０は、筺体１の前面（紙面左側）であって、誘導鏡部１０および撮影部３０の上部（紙面上側）に取り付けられており、斜め上方から撮影適正範囲Ａ２に可視光を照射する。誘導光源５０は、撮影部３０の設置高さＴおよびその上下の適当な高さ範囲で撮影適正範囲Ａ２に可視光を照射できる程度に十分に高い位置に設置されている（図では、誘導光源５０の高さが低く、照射角度も水平に近いが、実際には、誘導光源５０の高さがより高く、照射角度も鉛直に近く、この角度設定により図示の高さＴを含む上下の範囲でほぼ撮影適正範囲Ａ２に可視光が照射され、そして、被撮影者９００自身の身長差が吸収される）。
【００２８】
誘導光源５０は、ライト部５１と覆い部５２とから構成されている。ライト部５１は可視光を出射し、覆い部５２はライト部５１から出射される可視光の照射方向や照射範囲を点線で示される方向や範囲に制限するのに用いられる。図１では、誘導光源５０の可視光の照射方向および照射範囲が点線で示されている。
【００２９】
誘導光源の変形例を図２および図３に示す。図２に示す例では、ライト部５１の前面側である可視光出射方向に、両凸レンズ５３が更に設けられている。このレンズ５３をライト部５１の前面側に設けることにより、可視光の照射範囲を狭くすることができる。図３に示される例では、ライト部５１から出射される可視光を凹面鏡５４で反射する構成を備えている。このような構成を採用することにより、可視光の照射範囲を広くすることができる。図２および図３において、可視光の照射方向および照射範囲が点線で示されている。
【００３０】
誘導光源調整部６０は、例えば虹彩認証装置１０００を最初に設置する際に、誘導光源５０から出射される可視光が撮影適正範囲Ａ２に照射されるように、当該誘導光源５０からの可視光の照射範囲や照射角度を調整するために設けられている。
【００３１】
距離測定部７０は、筺体１の前面側（紙面左側）に取り付けられ、例えば超音波距離計やレーザーセンサなどによって構成されている。距離測定部７０は、被撮影者９００と虹彩認証装置１０００の前面との間の距離を測定する。距離判定部８０は、距離測定部７０により測定された測定距離が、所定の機器作動距離以内に含まれるか否かを判定する。機器作動距離は、撮影適正範囲Ａ２の最大値（撮影部３０から遠い端部までの距離）よりも大きい値に予め設定されている。例えば、撮影適正範囲Ａ２が前述のように約２０〜４０ｃｍである場合に、機器作動距離が６０ｃｍに設定される。距離判定部８０の判定結果は、撮影部３０、撮影光源４０、誘導光源５０および認証処理部１００を制御するのに用いられる。
【００３２】
制御部９０は、撮影部３０、撮影光源５０、認証処理部１００などの各部を含む虹彩認証装置１０００全体を制御する。具体的には、制御部９０は、距離判定部８０により距離測定部７０の測定距離が機器作動距離以内であると判定された場合、撮影部３０および認証処理部１００を起動し、撮影光源４０および誘導光源５０を点灯する。一方、制御部９０は、距離判定部８０により距離測定部７０の測定距離が機器作動距離以内でないと判定された場合、撮影部３０および認証処理部１００の作動を停止し、撮影光源４０および誘導光源５０を消灯する。この構成により、被撮影者９００が虹彩認証装置１０００の撮影部３０から離れているときには、撮影部３０および認証処理部１００の作動が停止され、撮影光源４０および誘導光源５０が消灯されるので、虹彩認証装置１０００の消費電力を低減することができる。
【００３３】
認証処理部１００は、撮影部３０で撮影された画像により個人認証を行う。具体的には、認証処理部１００は、撮影部３０により撮影された撮影画像から虹彩領域を抽出し、虹彩部分の皺のパターンをコード化して照合用データを生成し、この照合用データを予め登録された登録認証用データと比較して照合する。そして、認証処理部１００は、照合の結果、照合用データと登録認証用データとが互いに一致すると判断された場合、被撮影者９００が予め登録された者であると認証する。
【００３４】
以上のように構成された虹彩認証装置１０００を用いた虹彩認証方法について、図を用いてその動作を説明する。被撮影者９００が、虹彩認証装置１０００の前に立って、被撮影者９００自身の眼９１０が誘導鏡部１０に映るように、誘導鏡部１０および撮影部３０の方向に近づく。被撮影者９０００が機器作動距離以内に入ると、距離判定部８０により距離測定部７０の測定距離が機器作動距離以内であると判定される。そして、距離判定部８０の判定結果に基づいて、制御部９０が、撮影部３０および認証処理部１００を起動し、撮影光源４０および誘導光源５０を点灯する。このとき、誘導光源５０により可視光が撮影適正範囲Ａ２に照射される。
【００３５】
被撮影者９００は、更に移動して、誘導光源５０からの可視光の照射範囲へと入る。これにより、被撮影者９００は可視光を手がかりに撮影適正範囲Ａ２に位置することができる。このとき、被撮影者９００は、誘導光源５０からの可視光の照射範囲により撮影適正範囲Ａ２を簡単に把握できる。
【００３６】
上記の位置調整では、被撮影者９００は、図４を用いて説明するように、誘導光源５０からの可視光によって被撮影者９００自身の眼９１０が照らされるように調整する。図４（ａ）、図４（ｂ）および図４（ｃ）は、撮影不適正範囲（近い）Ａ１、撮影適正範囲Ａ２および撮影不適正範囲（遠い）Ａ３の各範囲で、誘導鏡部に眼を映した状態をそれぞれ示している。
【００３７】
図４（ａ）および図４（ｃ）に示されるように、撮影不適正範囲（近い）Ａ１および撮影不適正範囲（遠い）Ａ３の両範囲には、誘導光源５０からの可視光が照射されていないため、誘導鏡部１０には眼９１０が暗く映っている。一方、図４（ｂ）に示されるように、撮影適正範囲Ａ２には、誘導光源５０からの可視光が照射されているため、誘導鏡部１０には眼９１０が明るく映っている。
【００３８】
このように、被撮影者９００は、誘導光源５０からの可視光の照射範囲により、撮影適正範囲Ａ２の位置を簡単に把握することができる。そして、被撮影者９００は、可視光の照射範囲を手がかりに、誘導光源５０からの可視光に自身の眼９１０が照らされるように移動することで、被撮影者９００自身の眼９１０を撮影適正範囲Ａ２に位置させることができる。
【００３９】
次に、被撮影者９００の眼９１０が撮影適正範囲Ａ２に位置された状態で、被撮影者９００は、誘導鏡部１０に映る反射像を見ながら、ハンドル操作部２０を用いたり、誘導鏡部１０および撮影部３０に対して自ら左右に移動したりして、自身の眼９１０の反射像が誘導鏡部１０の中央部の光透過領域に配置されるように調整する。被撮影者の眼の反射像が誘導鏡部の中央部から外れたときの状態と、このときに誘導鏡部に映し出された眼を図５〜図８に示す。
【００４０】
図５（ａ）では、誘導鏡部１０が、被撮影者９００の眼９１０に対して、上方向（紙面上方向）にずれて向いている状態を示す。このとき、図５（ｂ）に示されるように、被撮影者９００の眼９１０が誘導鏡部１０の下方にずれて映っている。この場合、被撮影者９００は、ハンドル操作部２０を用いて、誘導鏡部１０を矢印Ｌの方向に移動させることで、被撮影者９００自身の眼９１０の反射像を誘導鏡部１０の中央部に配置させることができる。
【００４１】
図６（ａ）では、誘導鏡部１０が、被撮影者９００の眼９１０に対して、下方向（紙面下方向）にずれて向いている状態を示す。このとき、図６（ｂ）に示されるように、被撮影者９００の眼９１０が誘導鏡部１０の上方にずれて映っている。この場合、被撮影者９００は、ハンドル操作部２０を用いて、誘導鏡部１０を矢印Ｍの方向に移動させることで、被撮影者９００自身の眼９１０の反射像を誘導鏡部１０の中央部に配置させることができる。
【００４２】
図７（ａ）では、誘導鏡部１０が、被撮影者９００の眼９１０（ここでは左眼とする。）に対して、右方向（紙面右方向）にずれて向いている状態を示す。このとき、図７（ｂ）に示されるように、被撮影者９００の眼９１０が誘導鏡部１０の右側にずれて映っている。この場合、被撮影者９００は、自身が矢印Ｎの方向に移動することで、被撮影者９００自身の眼９１０の反射像を誘導鏡部１０の中央部に配置させることができる。
【００４３】
図８（ａ）では、誘導鏡部１０が、被撮影者９００の眼９１０（ここでは右眼とする。）に対して、左方向（紙面左方向）にずれて向いている状態を示す。このとき、図８（ｂ）に示されるように、被撮影者９００の眼９１０が誘導鏡部１０の左側にずれて映っている。この場合、被撮影者９００は、自身が矢印Ｐの方向に移動することで、被撮影者９００自身の眼９１０の反射像を誘導鏡部１０の中央部に配置させることができる。
【００４４】
このように、被撮影者９００の眼９１０を映すための誘導鏡部１０を設けたことにより、被撮影者９００は、誘導鏡部１０に映る反射像を見ながら、ハンドル操作部２０を用いたり、誘導鏡部１０および撮像部３０に対して自ら左右に移動したりして、自身の眼９１０の反射像が誘導鏡部１０の中央部に配置されるように調整することができる。
【００４５】
また、本実施の形態では、誘導光源５０が設けられており、撮影適正範囲Ａ２に位置する被撮影者９００の眼９１０が可視光により照射されるので、被撮影者９００が誘導鏡部１０に明るく映り、従って、上記のハンドル操作部２０を使った向きの調整や被撮影者９００自身の左右の位置調整を容易に行うことができる。つまり、誘導光源１０を設けたことにより、撮影適正範囲Ａ２に被撮影者９００を誘導する用途に加えて、撮影適正範囲Ａ２での被撮影者９００と撮影部３０の相対的な向きや位置の調整をも容易にすることができる。このことは、虹彩認証装置１０００が暗い場所に設置されている場合に特に有利である。
【００４６】
そして、被撮影者９００の眼９１０の反射像が誘導鏡部１０の中央部に配置された状態で、撮影部３０が撮影光源４０の赤外光に照らされた眼９１０の虹彩を撮影する。次に、認証処理部１００が、撮影部３０で撮影された画像により個人認証を行う。具体的には、上述の通り、認証処理部１００は、撮影部３０により撮影された撮影画像から虹彩領域を抽出し、虹彩部分の皺のパターンをコード化して照合用データを生成し、この照合用データを予め登録された登録認証用データと比較して照合する。そして、認証処理部１００は、照合の結果、照合用データと登録認証用データとが互いに一致すると判断された場合、被撮影者９００が予め登録された者であると認証する。
【００４７】
このような本発明の第１の実施の形態に係る虹彩認証装置１０００によれば、撮影部３０からの距離が被撮影者９００の眼９１０の虹彩を撮影するのに適している撮影可能範囲Ａ２に可視光が照射される。このため、虹彩を撮影する際に、被撮影者９００が誘導光源５０からの可視光の照射範囲により撮影適正範囲Ａ２を簡単に把握することができ、被撮影者９００は可視光の照射範囲を手がかりに撮影適正範囲Ａ２に移動できる。そして、被撮影者９００から撮影部３０までの距離が虹彩を撮影するのに適した範囲内となるように、虹彩を撮影する際の被撮影者９００の位置の調整を容易に行うことができる。この結果、被撮影者９００は自身の眼９１０を撮影適正範囲Ａ２内に簡単に配置でき、虹彩を撮影するのに適した眼の位置合せを簡単に行うことができる。従って、容易に虹彩を撮影することができ、虹彩認証も容易となる。
【００４８】
また、本実施の形態によれば、誘導光源５０を設けたことにより、撮影適正範囲Ａ２に誘導された被撮影者９００が誘導鏡部１０に明るく映る。従って、誘導光源５０の設置により、被撮影者９００が撮影適正範囲Ａ２に容易に位置することができるだけでなく、撮影適正範囲Ａ２での被撮影者９００と撮影部３０の相対的な向きや位置の調整をも容易にすることができる。
【００４９】
また、本実施の形態によれば、誘導鏡部１０の向きを調整するためのハンドル操作部２０を備えているので、被撮影者９００はハンドル操作部２０を用いて、誘導鏡部１０の向きを調整しながら、眼９１０の位置合せを更に容易に行うことができる。
【００５０】
（第２の実施の形態）
以下、本発明の第２の実施の形態に係る虹彩認証装置について、図面を用いて説明する。
本発明の第２の実施の形態に係る虹彩認証装置の構成を図９に示す。図９に示されるように、第２の実施の形態における虹彩認証装置１００１は、第１の実施の形態における虹彩認証装置１０００とは、撮影光源の設置場所が異なっている。すなわち、第１の実施の形態では、撮影光源４０は撮影部３０の近傍に設けられているのに対し、第２の実施の形態では、撮影光源４０ａは誘導光源５０と共に設けられている点で相違する。
【００５１】
図９において、撮影光源４０ａは、上述の通り、誘導光源５０と共に設けられている。また、撮影光源４０ａは、誘導光源５０の可視光の照射範囲に重なるように、撮影適正範囲Ａ２に赤外光を照射するように構成されている。この構成により、撮影光源４０は誘導光源５０と共に設けられるので、虹彩認証装置１００１の構成を簡単することができる。
【００５２】
なお、図９の例では、撮影光源４０ａの前面には、両凸レンズ４１が設けられ、誘導光源５０のライト部５１の前面にも、両凸レンズ５３が設けられている。これらの両凸レンズ４１、５３は、両凸レンズ５３について第１の実施の形態で説明したように照射範囲を狭く調整するのに用いられ、必要に応じて設けられる。
【００５３】
（第３の実施の形態）
以下、本発明の第３の実施の形態に係る虹彩認証装置について、図面を用いて説明する。
本発明の第３の実施の形態に係る虹彩認証装置の一部の構成を図１０に示す。図１０に図示されない構成については、図１に示された構成と同一である。図１０に示されるように、第３の実施の形態における虹彩認証装置は、第１の実施の形態における虹彩認証装置とは、補助誘導光源１１０、１２０を備えている点で相違する。
【００５４】
図１０に示されるように、補助誘導光源１１０、１２０は、誘導光源５０とは別に設けられており、誘導光源５０に隣接して配置されている。補助誘導光源１１０、１２０は、ライト部１１１、１２１と覆い部１１２、１２２とをそれぞれ備えている。ライト部１１１、１２１は、誘導光源５０から出射される可視光と異なる色の可視光である補助可視光を出射する。覆い部１１２、１２２は、ライト部１１１、１２１から出射される補助可視光の照射範囲を制限するのに用いられる。
【００５５】
ここで、図１０に示されるように、本実施の形態では、補助誘導範囲Ｂ１、Ｂ２が追加して設けられている。補助誘導範囲Ｂ１、Ｂ２は、Ａ１、Ａ２およびＡ３の各範囲と同様に、撮影部３０からの距離を基準にしている。
【００５６】
図１０に示されるように、補助誘導範囲Ｂ１は、撮影適正範囲Ａ２に隣接して、撮影部３０に近づく側に設けられており、撮影部３０および撮影適正範囲Ａ２の最小値の間の所定値から撮影適正範囲Ａ２の最小値までの間（例えば撮影部３０からの距離が１０ｃｍ〜２０ｃｍ）に設定されている。補助誘導範囲Ｂ２は、撮影適正範囲Ａ２に隣接して、撮影部３０から遠ざかる側に設けられており、撮影適正範囲Ａ２の最大値から撮影適正範囲Ａ２の最大値より大きい所定値までの間（例えば撮影部３０からの距離が４０ｃｍ〜５０ｃｍ）に設定されている。
【００５７】
誘導光源１１０は補助誘導範囲Ｂ１に補助可視光を照射し、誘導光源１２０は補助誘導範囲Ｂ２に補助可視光を照射する。上述の通り、誘導光源５０から出射される可視光と、補助誘導光源１１０、１２０から出射される補助可視光とは色が異なる。
【００５８】
第１の実施の形態では、誘導光源４０から出射される可視光の照射範囲や照射角度は、誘導光源調整部６０によって調整できると説明したが、これと同様に、補助誘導光源１１０、１２０から出射される補助可視光の照射範囲や照射角度調整できる補助誘導光源調整部（不図示）を設けてもよい。この補助誘導光源調整部は、例えば虹彩認証装置１０００を最初に設置する際に、補助誘導光源１１０、１２０から出射される補助可視光が補助誘導範囲Ｂ１、Ｂ２に照射されるように、当該補助誘導光源１１０、１２０からの可視光の照射範囲や照射角度を調整するのに用いられる。
【００５９】
補助誘導範囲Ｂ１、撮影適正範囲Ａ１および補助誘導範囲Ｂ２の各範囲で、誘導鏡部に眼を映した状態を図１１〜図１３に示す。図１１（ａ）に示されるように、被撮影者９００の眼９１０が補助誘導範囲Ｂ２に配置された場合、図１１（ｂ）に示されるように、誘導鏡部１０には、誘導光源５０の可視光（例えば白色）とは別の色の補助可視光（例えば赤色）が照射された眼９１０の反射像が映る。
【００６０】
図１２（ａ）に示されるように、被撮影者９００の眼９１０が撮影適正範囲Ａ１に配置された場合、図１２（ｂ）に示されるように、誘導鏡部１０には、誘導光源５０の可視光（白色）が照射された眼９１０の反射像が映る。
図１３（ａ）に示されるように、被撮影者９００の眼９１０が補助誘導範囲Ｂ１に配置された場合、図１３（ｂ）に示されるように、誘導鏡部１０には補助可視光（赤色）が照射された眼９１０の反射像が映る。
【００６１】
従って、被撮影者９００が虹彩認証装置を用いて虹彩認証をする際に、被撮影者９００が誘導鏡部１０および撮像部３０に近づいたり、遠ざかったりして、誘導鏡部１０に映る自身の眼９１０の反射像の色を確認することで、自身の眼９１０が撮影適正範囲Ａ２に位置するように容易に調整することができる。
【００６２】
このように、被撮影者９００は、誘導光源５０または補助誘導光源１１０、１２０からの可視光または補助可視光に照らされた被撮影者９００自身の眼９１０の反射像の色から、被撮影者９００自身の眼９１０がＡ２、Ｂ１またはＢ２の各範囲のいずれに位置するかを簡単に把握することができる。そして、被撮影者９００は、誘導光源５０からの可視光に自身の眼９１０が照らされるように移動する。こうして、被撮影者９００は、可視光および補助可視光の照射範囲を手がかりに撮影適正範囲Ａ２に移動することができる。
【００６３】
例えば、誘導鏡部１０に映る被撮影者９００自身の眼９１０の反射像の色が補助可視光の色（赤色）であった場合、被撮影者９００は、被撮影者９００自身の眼９１０が補助誘導範囲Ｂ１またはＢ２に位置していることを把握でき、撮影適正範囲Ａ２が近くであることを把握することができる。そして、被撮影者９００は、わずかに誘導鏡部１０および撮像部３０に近づいたり、遠ざかったりして、撮影部３０から被撮影者９００までの距離を変えて、被撮影者９００自身の眼９１０を撮影適正範囲Ａ２に位置させることができる。
【００６４】
このように、本発明の第３の実施の形態に係る虹彩認証装置によれば、虹彩を撮影する際に、被撮影者９００が補助誘導光源１１０、１２０からの補助可視光の照射範囲により撮影適正範囲Ａ２が近くであることを把握でき、被撮影者９００は補助可視光の照射範囲を手がかりに撮影適正範囲Ａ２に移動して、虹彩を撮影する際の被撮影者９００の位置の調整を容易に行うことができる。この結果、被撮影者９００は自身の眼９１０を撮影適正範囲Ａ２内に簡単に配置でき、虹彩を撮影するのに適した眼の位置合せを簡単に行うことができる。
【００６５】
なお、本実施態様では、補助誘導光源１１０、１２０は誘導光源５０の両側に隣接して配置され、補助誘導範囲Ｂ１、Ｂ２に補助可視光を照射するように構成されているが、補助誘導光源１１０または１２０の一方のみを設けて、補助誘導範囲Ｂ１、Ｂ２の一方のみに補助可視光を照射するように構成してもよい。
【００６６】
以上、本発明の実施の形態を例示により説明したが、本発明の範囲はこれらに限定されるものではなく、請求項に記載された範囲内において目的に応じて変更・変形することが可能である。
【００６７】
上記実施態様では、本発明を虹彩認証装置として説明したが、本発明は認証処理部を含まない構成である虹彩撮影装置であってもよい。
【産業上の利用可能性】
【００６８】
以上のように、本発明は、虹彩を撮影する際の被撮影者の位置の調整を容易に行え、虹彩を撮影するのに適した眼の位置合せを簡単に行うことができるという効果を有し、眼球の虹彩を撮影するための虹彩認証装置等に有用である。
【図面の簡単な説明】
【００６９】
【図１】本発明の第１の実施の形態に係る虹彩認証装置の構成を示す図
【図２】誘導光源の構成の一例を示す図
【図３】誘導光源の構成の一例を示す図
【図４】（ａ）  撮影不適正範囲（近い）Ａ１で、誘導鏡部に眼を映した状態図  （ｂ）  撮影適正範囲Ａ２で、誘導鏡部に眼を映した状態図  （ｃ）  撮影不適正範囲（遠い）Ａ３で、誘導鏡部に眼を映した状態図
【図５】（ａ）  誘導鏡部が被撮影者の眼に対してずれて向いている状態の一例を示す図  （ｂ）  誘導鏡部が被撮影者の眼に対してずれて向いているときの誘導鏡部に映る反射像を示す図
【図６】（ａ）  誘導鏡部が被撮影者の眼に対してずれて向いている状態の一例を示す図  （ｂ）  誘導鏡部が被撮影者の眼に対してずれて向いているときの誘導鏡部に映る反射像を示す図
【図７】（ａ）  誘導鏡部が被撮影者の眼に対してずれて向いている状態の一例を示す図  （ｂ）  誘導鏡部が被撮影者の眼に対してずれて向いているときの誘導鏡部に映る反射像を示す図
【図８】（ａ）  誘導鏡部が被撮影者の眼に対してずれて向いている状態の一例を示す図  （ｂ）  誘導鏡部が被撮影者の眼に対してずれて向いているときの誘導鏡部に映る反射像を示す図
【図９】本発明の第２の実施の形態に係る虹彩認証装置の構成を示す図
【図１０】本発明の第３の実施の形態に係る虹彩認証装置の構成の一部を示す図
【図１１】（ａ）  補助誘導範囲Ｂ２に被撮影者の眼が配置された状態を示す図  （ｂ）  補助誘導範囲Ｂ２で誘導鏡部に映る反射像を示す図
【図１２】（ａ）  撮影適正範囲Ａ１に被撮影者の眼が配置された状態を示す図  （ｂ）  補助誘導範囲Ａ１で誘導鏡部に映る反射像を示す図
【図１３】（ａ）  補助誘導範囲Ｂ１に被撮影者の眼が配置された状態を示す図  （ｂ）  補助誘導範囲Ｂ１で誘導鏡部に映る反射像を示す図
【符号の説明】
【００７０】
１０  誘導鏡部
２０  ハンドル操作部
３０  撮影部
４０  撮影光源
５０  誘導光源
６０  誘導光源調整部
７０  距離測定部
８０  距離判定部
９０  制御部
１００  認証処理部
１１０、１２０  補助誘導光源
１０００  虹彩認証装置
【図１】
2008310480.tif 000003
【図２】
2008310480.tif 000004
【図３】
2008310480.tif 000005
【図４】
2008310480.tif 000006
【図５】
2008310480.tif 000007
【図６】
2008310480.tif 000008
【図７】
2008310480.tif 000009
【図８】
2008310480.tif 000010
【図９】
2008310480.tif 000011
【図１０】
2008310480.tif 000012
【図１１】
2008310480.tif 000013
【図１２】
2008310480.tif 000014
【図１３】
2008310480.tif 000015